(57)【要約】【課題】表面布層、微量元素層および下地布層の組合せ設計により、マイナスイオンを放出して空気を浄化し、人体の免疫機能を向上させ、人体機能を調整し、癌細胞の発生を避け、並びに、様々な病気や、体の老化、基因急変、皮膚病変を避けることができ、実用性を増加させたエネルギー発生布の提供。【解決手段】エネルギー発生布は、表面布層、微量元素層および下地布層を含み、該表面布層は、糸を編んで弾性構造を形成し、該微量元素層は、該表面布層内および表面布層の下縁に結合され、該微量元素層は、鉱物質の組合せであり、該下地布層は、該微量元素層の下方に結合され、該下地布層は、糸を編んで形成し、糸と糸の間に微細な網目が形成されることによって、エネルギー発生布を形成する。【選択図】図１
0003140501.tif 000002
【実用新案登録請求の範囲】
【請求項１】
糸で織編され弾性構造を形成する表面布層と、
前記表面布層内および表面布層の下縁に結合され、鉱物質の組合せである微量元素層と、
前記微量元素層の下方に結合され、糸を編んで形成し、糸と糸の間に微細な網目が形成される下地布層とを含むことによって形成するエネルギー発生布。
【請求項２】
前記表面布層および前記下地布層の糸は、十字面状構造になることを特徴とする請求項１に記載のエネルギー発生布。
【請求項３】
前記表面布層および前記下地布層の糸は、ナノシルバーの成分を含むことを特徴とする請求項１または２に記載のエネルギー発生布。
【請求項４】
前記表面布層および前記下地布層の糸は、遠赤外線セラミック粉、トルマリン、ゲルマニウム、チタンおよび黒シリカうちの何れか一つを含むことを特徴とする請求項１または２に記載のエネルギー発生布。
【請求項５】
前記糸は、素材から引き出され、前記素材は、ポリエチレンテレフタレート、ナノシルバーおよびナノトルマリンの組合せからなることを特徴とする請求項１または２に記載のエネルギー発生布。
【請求項６】
前記微量元素層中の鉱物質は、ナトリウム（Ｎａ）、カリウム（Ｋ）、マグネシウム（Ｍｇ）、カルシウム（Ｃａ）、リン（Ｐ）、塩素（Ｃｌ）、ヒ素（Ａｓ）、コバルト（Ｃｏ）、クロム（Ｃｒ）、銅（Ｃｕ）、フッ素（Ｆ）、鉄（Ｆｅ）、ヨウ素（Ｉ）、マンガン（Ｍｎ）、モリブデン（Ｍａ）、ニッケル（Ｎｉ）、セレン（Ｓｅ）、シリコン（Ｓｉ）、錫（Ｓｎ）、バナジウム（Ｖ）、亜鉛（Ｚｎ）、銀（Ａｇ）、アルミニウム（Ａｌ）、バリウム（Ｂａ）、ストロンチウム（Ｓｒ）、チタン（Ｔｉ）、およびゲルマニウム（Ｇｅ）のうち、何れか一つを少なくとも含むことを特徴とする請求項１に記載のエネルギー発生布。
【請求項７】
前記表面布層および前記下地布層の糸は、ゲルマニウム銀紗を編んで形成することを特徴とする請求項１に記載のエネルギー発生布。
【考案の詳細な説明】
【技術分野】
【０００１】
本考案は、エネルギー発生布に係り、特に、表面布層、微量元素層および下地布層の組合せ設計により、排出吸収向上効果を有し、人体の免疫機能を向上させ、人体機能を調整し、血液循環を促進しおよび体温を保持する効果を有し、服や、靴下、眼帯、リストバンド、マット、枕、マットなど或いは類似の製品に適用するものである。
【背景技術】
【０００２】
一般に、従来の衣服生地の材質は、綿、麻、ポリエステル繊維、ナイロンなどからなり、かつ、生地模様、色、保暖、繊維材質種類などのみを考えて設計する場合が多い。
【０００３】
しかし、上記の生地材質を着用すると透気性が足りないため、皮膚表層の汗腺発汗の際に吸収できなくなり、汗が皮膚表層に残されてしまう。
また、汗が再び皮下組織に吸い込まれ人体自身の器官に影響するため、皮膚に汗疹或いは赤腫れの不具合を発生する。
更に、生地材質が良くないため、人体の生理機能の調整に影響してしまい、従来の一般生地材質で編んだ衣服や、靴下、帽子などの物品は、透気性が足りないため、抗菌、消臭することはできない。
【考案の開示】
【考案が解決しようとする課題】
【０００４】
本考案の主な目的は、表面布層、微量元素層および下地布層の組合せ設計により、マイナスイオンを放出して空気を浄化し、人体の免疫機能を向上させ、人体機能を調整し、癌細胞の発生を避け、並びに、様々な病気や、体の老化、基因急変、皮膚病変を避けることができ、実用性を増加させたエネルギー発生布を提供することにある。
【０００５】
本考案の次の目的は、表面布層、微量元素層および下地布層の組合せ設計により、排出吸収効果を向上し、遠赤外線を放出し、血液循環を促し、及び体温を保持でき、さらに、静電気を抵抗でき、表層神経の電荷を発散し、体質を改善し、新陳代謝を促進し、並びに物理的長効用性の殺菌抗菌、消臭、熱伝導性、静電気除去などの効果を有し、常温下で人体に合う必要な８μｍ〜１２μｍ波長周波数のナノエネルギーを放射し、人体と共振を発生し、体内保健の効果を得られ、実用性を増加させたエネルギー発生布を提供することにある。
【課題を解決するための手段】
【０００６】
前記目的を達成するために、本考案は、表面布層、微量元素層および下地布層を含み、前記表面布層は、糸を編んで弾性構造を形成し、前記微量元素層は、前記表面布層内および表面布層の下縁に結合され、前記微量元素層は、鉱物質の組合せであり、前記下地布層は、前記微量元素層の下方に結合され、前記下地布層は、糸を編んで形成し、糸と糸の間に微細な網目が形成されることによって、エネルギー発生布を形成した。
【０００７】
すなわち、本願の第１考案は、糸で織編され弾性構造を形成する表面布層と、前記表面布層内および表面布層の下縁に結合され、鉱物質の組合せである微量元素層と、前記微量元素層の下方に結合され、糸を編んで形成し、糸と糸の間に微細な網目が形成される下地布層とを含むことによって形成するエネルギー発生布を提供することを要旨としている。
【０００８】
また、本願の第２考案は、前記表面布層および前記下地布層の糸は、十字面状構造になることを特徴とする第１考案に記載のエネルギー発生布を提供することを要旨としている。
【０００９】
また、本願の第３考案は、前記表面布層および前記下地布層の糸は、ナノシルバーの成分を含むことを特徴とする第１考案又は第２考案に記載のエネルギー発生布を提供することを要旨としている。
【００１０】
また、本願の第４考案は、前記表面布層および前記下地布層の糸は、遠赤外線セラミック粉、トルマリン、ゲルマニウム、チタンおよび黒シリカうちの何れか一つを含むことを特徴とする第１考案又は第２考案に記載のエネルギー発生布を提供することを要旨としている。
【００１１】
また、本願の第５考案は、前記糸は、素材から引き出され、前記素材は、ポリエチレンテレフタレート、ナノシルバーおよびナノトルマリンの組合せからなることを特徴とする第１考案又は第２考案に記載のエネルギー発生布を提供することを要旨としている。
【００１２】
また、本願の第６考案は、前記微量元素層中の鉱物質は、ナトリウム（Ｎａ）、カリウム（Ｋ）、マグネシウム（Ｍｇ）、カルシウム（Ｃａ）、リン（Ｐ）、塩素（Ｃｌ）、ヒ素（Ａｓ）、コバルト（Ｃｏ）、クロム（Ｃｒ）、銅（Ｃｕ）、フッ素（Ｆ）、鉄（Ｆｅ）、ヨウ素（Ｉ）、マンガン（Ｍｎ）、モリブデン（Ｍａ）、ニッケル（Ｎｉ）、セレン（Ｓｅ）、シリコン（Ｓｉ）、錫（Ｓｎ）、バナジウム（Ｖ）、亜鉛（Ｚｎ）、銀（Ａｇ）、アルミニウム（Ａｌ）、バリウム（Ｂａ）、ストロンチウム（Ｓｒ）、チタン（Ｔｉ）、およびゲルマニウム（Ｇｅ）のうち、何れか一つを少なくとも含むことを特徴とする第１考案に記載のエネルギー発生布を提供することを要旨としている。
【００１３】
また、本願の第７考案は、前記表面布層および前記下地布層の糸は、ゲルマニウム銀紗を編んで形成することを特徴とする第１考案に記載のエネルギー発生布を提供することを要旨としている。
【考案の効果】
【００１４】
本考案によれば、表面布層、微量元素層および下地布層の組合せ設計により、マイナスイオンを放出して空気を浄化し、人体の免疫機能を向上させ、人体機能を調整し、癌細胞の発生を避け、並びに、様々な病気や、体の老化、基因急変、皮膚病変を避けることができる。
【考案を実施するための最良の形態】
【００１５】
本考案の他の特徴及び具体的な実施例は、後続の詳しく説明及び図示よりさらに了解できる。
【実施例】
【００１６】
図１〜図６に示すように、本考案に係るエネルギー発生布は、表面布層１０、微量元素層２０および下地布層３０を含み、該表面布層１０は、糸１１（該糸１１は、ゲルマニウム銀紗である）で織編され、糸１１は、十字面状構造になり、かつ素材から引き出され、該素材は、ポリエチレンテレフタレート（Polyethyleneterephthalate）、ナノシルバー（Nano-silver）およびナノトルマリン（Tourmaline）の組合せからなり、該糸１１は、ナノシルバー１１１の成分を含んでおり、殺菌抗菌、消臭の機能を有しする。
【００１７】
また、該糸１１は、遠赤外線セラミック粉、トルマリン、ゲルマニウム、チタンおよび黒シリカなどのうち何れか一つを含み、遠赤外線を放出する機能を有し、表面布層１０が比較的に厚く織編され、弾性のある弾性構造を形成する。
【００１８】
また、表面布層１０の組織内に微量元素層２０を透過するための隙間があり、該表面布層１０および微量元素層２０は、無毒、無溶剤の貼付方法で結合され、該表面布層１０内および表面布層１０の下縁に結合される。
【００１９】
該微量元素層２０中の鉱物質は、ナトリウム（Ｎａ）、カリウム（Ｋ）、マグネシウム（Ｍｇ）、カルシウム（Ｃａ）、リン（Ｐ）、塩素（Ｃｌ）、ヒ素（Ａｓ）、コバルト（Ｃｏ）、クロム（Ｃｒ）、銅（Ｃｕ）、フッ素（Ｆ）、鉄（Ｆｅ）、ヨウ素（Ｉ）、マンガン（Ｍｎ）、モリブデン（Ｍａ）、ニッケル（Ｎｉ）、セレン（Ｓｅ）、シリコン（Ｓｉ）、錫（Ｓｎ）、バナジウム（Ｖ）、亜鉛（Ｚｎ）、銀（Ａｇ）、アルミニウム（Ａｌ）、バリウム（Ｂａ）、ストロンチウム（Ｓｒ）、チタン（Ｔｉ）、およびゲルマニウム（Ｇｅ）のうち、何れか一つからなる。
【００２０】
該下地布層３０は、該微量元素層２０の下方に結合され、該微量元素層２０および下地布層３０は、無毒、無溶剤の貼付方法で結合され、該下地布層３０は、糸１１（該糸１１は、ゲルマニウム銀紗であり）で織編され、糸１１は、十字面状構造になり、かつ素材から引き出され、該素材は、ポリエチレンテレフタレート（Polyethyleneterephthalate）、ナノシルバー（Nano-silver）およびナノトルマリン（Tourmaline）の組合せからなる。
【００２１】
糸１１は、ナノシルバー１１１の成分を含んでおり、殺菌抗菌、消臭の機能を有し、また、該糸１１は、遠赤外線セラミック粉、トルマリン、ゲルマニウム、チタンおよび黒シリカなどのうち何れか一つを含み、遠赤外線を放出する機能を有し、糸と糸の間に微細な網目が形成されることによって、エネルギー発生布を形成した。
【００２２】
本考案の特徴は、表面布層１０、微量元素層２０および下地布層３０の組合せ設計により、該微量元素層２０に含まれる鉱物質は、マイナスイオンを放出して空気を浄化し、人体の免疫機能を向上させ、人体機能を調整し、癌細胞の発生を避け、並びに、様々な病気や、体の老化、基因急変、皮膚病変を避けることができる。
また、該表面布層１０および下地布層３０の糸１１で織編され、該糸１１は十字面状構造になるため、より排出吸収効果を有し、遠赤外線を放出し、血液循環を促しおよび体温を保持できる、
さらに、静電気を抵抗でき、表層神経の電荷を発散し、体質を改善し、新陳代謝を促進し、並びに物理的長効用性の殺菌抗菌、消臭、熱伝導性、静電気除去などの効果を有する。
また、常温下で人体に合う必要な８μｍ〜１２μｍ波長周波数のナノエネルギーを放射し、人体と共振を発生し、体内保健の効果を得られる。
【００２３】
図４は、本考案に係る第１実施例の衣服４０の使用状態を示す図である。
図４に示すように、本考案は、表面布層１０、微量元素層２０および下地布層３０の組合せ設計により、着用している衣服は、マイナスイオンを放出して人体機能を調整する機能を有する。
人体が必要とするナノエネルギーを放射することにより、体の疲労および痛みを低下させ、かつ、高血圧、糖尿病、気喘、神経痛、風湿関節炎、致命性貧血、心血管病、白血症、肝臓硬化、後天性免疫不全症候群（ＡＩＤＳ）、慢性鼻咽癌、肺がん、乳がんなどの疾病を予防或いは遅延させることができる。
【００２４】
図５は、本考案に係る第２実施例のマット５０の使用状態を示す図である。
図５に示すように、本考案は、表面布層１０、微量元素層２０および下地布層３０の組合せ設計により、マット５０は優れる透気性を有するため、長く睡眠しても快適で発熱し難い、長期に使用すれば血液を活かし、体内圧力を釈放し、気血循環を向上させることもでき、さらに、新陳代謝を促進し並びに睡眠品質を向上することができる。
【００２５】
図６は、本考案に係る第３実施例の眼帯６０の使用状態を示す図である。
図６に示すように、本考案は、表面布層１０、微量元素層２０および下地布層３０の組合せ設計により、眼帯６０の作製に適用でき、該眼帯６０を被る時に、該眼帯６０は、人体が必要とする微量元素および遠赤外線を放出できる。
また、放出した微量元素がナノ化されたため、該エネルギー発生布で作製した眼帯６０が人体の皮膚に接触したことによって、皮膚を透過して人体に吸収され、体内の血液循環を加速させ、血液粘度を低下し、赤血球の変形能力を増加させ、微血管の循環が改善され、目部の圧力を低下し並びに目周りの黒い隈を予防できる。
さらに、免疫システムを向上し、新陳代謝を促進し、失眠の問題を改善し、老化抵抗および記憶力を増強する効果を有する。
【００２６】
なお、前記に開示された構成は、単に本考案の好ましい実施例に過ぎず、本考案の特徴を局限するものではなく、いずれの当該分野における通常の知識を有する専門家が本考案の分野の中で、適当に変換や修飾などを実施できるが、それらの実施のことが本考案の範囲内に含まれるべきことは言うまでもないことである。
【図面の簡単な説明】
【００２７】
【図１】本考案の素子分解図である。
【図２】本考案を示す断面図である。
【図３】本考案の糸構造を示す図である。
【図４】本考案に係る第１実施例の衣服の使用状態を示す図である。
【図５】本考案に係る第２実施例のマットの使用状態を示す図である。
【図６】本考案に係る第３実施例の眼帯の使用状態を示す図である。
【符号の説明】
【００２８】
１０    表面布層
１１    糸
１１１  ナノシルバー
２０    微量元素層
３０    下地布層
４０    衣服
５０    マット
６０    眼帯
【図１】
0003140501.tif 000003
【図２】
0003140501.tif 000004
【図３】
0003140501.tif 000005
【図４】
0003140501.tif 000006
【図５】
0003140501.tif 000007
【図６】
0003140501.tif 000008